(57)【要約】【課題】  ユーザへメールの付加情報を提供できない虞を低減することが可能な通信機器を提供すること。【解決手段】  メールを受信する受信部と、表示部と、当該受信部が受信した前記メールを、前記表示部へ表示させるプログラム実行部と、前記メールに付加情報が付加されている場合において、前記プログラム実行部が終了したとき、前記表示部に前記付加情報の存在を通知する通知表示を行う表示制御部と、を備える。【選択図】図４
2011171959.tif 000002
【特許請求の範囲】
【請求項１】
メールを受信する受信部と、
表示部と、
当該受信部が受信した前記メールを、前記表示部へ表示させるプログラム実行部と、
前記メールに付加情報が付加されている場合において、前記プログラム実行部が終了したとき、前記表示部に前記付加情報の存在を通知する通知表示を行う表示制御部と、
を備える通信機器。
【請求項２】
請求項１に記載の通信機器において、
前記表示制御部は、前記メールが未読メールであった場合に、前記通知表示を行う
通信機器。
【請求項３】
請求項１または２に記載の通信機器において、
前記表示制御部は、前記プログラム実行部が実行している最中に前記付加情報が選択されなかった場合において、当該プログラム実行部が終了したとき、前記表示部に前記付加情報の存在を通知する通知表示を行う
通信機器。
【請求項４】
請求項１から３のいずれかに記載の通信機器において、
前記表示制御部は、前記表示部が待受画面を表示している場合に、前記通知表示を行う
通信機器。
【請求項５】
請求項１から４のいずれかに記載の通信機器において、
前記表示制御部は、前記通知表示をポップアップ表示する
通信機器。
【発明の詳細な説明】
【技術分野】
【０００１】
本発明は、通信機能を有する通信機器に関する。
【背景技術】
【０００２】
近年市場に流通している携帯電話機器は、メーラーを備えている。例えば特許文献１には、メーラーにて閲覧されるメールに付加情報（メールに添付された画像ファイル又はメール文内に記載されたＵＲＬ）が付加されている場合において、当該付加情報がユーザにより選択されたとき、画像を表示したりＵＲＬに基づいたＷｅｂサイトを表示したりする携帯電話機器が記載されている。
【先行技術文献】
【特許文献】
【０００３】
【特許文献１】特開２００１−３０６４７１
【発明の概要】
【発明が解決しようとする課題】
【０００４】
しかしながら、特許文献１に記載の技術においては、メーラーが閉じられてしまった場合には、添付ファイルの選択操作やＵＲＬの選択操作が出来なくなってしまうために、ユーザは画像の閲覧やＷｅｂサイトへの接続が出来なくなってしまう。従って、従来技術では、メールの付加情報をユーザに提供できないおそれがあった。
【０００５】
本発明は、付加情報の存在を知らしめることにより、ユーザへ付加情報を提供できない虞を低減することを目的とする。
【課題を解決するための手段】
【０００６】
本発明に係る通信機器は、メールを受信する受信部と、表示部と、当該受信部が受信した前記メールを、前記表示部へ表示させるプログラム実行部と、前記メールに付加情報が付加されている場合において、前記プログラム実行部が終了したとき、前記表示部に前記付加情報の存在を通知する通知表示を行う表示制御部と、を備えることを特徴とする。
【０００７】
また、更に好適には、本発明に係る通信機器は、前記表示制御部は、前記メールが未読メールであった場合に、前記通知表示を行うことを特徴とする。
【０００８】
また、更に好適には、本発明に係る通信機器は、前記表示制御部は、前記プログラム実行部が実行している最中に前記付加情報が選択されなかった場合において、当該プログラム実行部が終了したとき、前記表示部に前記付加情報の存在を通知する通知表示を行うことを特徴とする。
【０００９】
また、更に好適には、本発明に係る通信機器は、前記表示制御部は、前記表示部が待受画面を表示している場合に、前記通知表示を行うことを特徴とする。
【００１０】
また、更に好適には、本発明に係る通信機器は、前記表示制御部は、前記通知表示をポップアップ表示することを特徴とする。
【発明の効果】
【００１１】
本発明によれば、付加情報の存在を知らしめることにより、ユーザへ付加情報を提供できない虞を低減することが可能な通信機器を提供することが可能となる。
【図面の簡単な説明】
【００１２】
【図１】本発明に係る携帯電話機器の外観を示す斜視図である。
【図２】本発明に係る携帯電話機器が無線基地局を介してネットワークに接続される様子を示す模式図である。
【図３】本発明に係る携帯電話機器の機能を示す機能ブロック図である。
【図４】本発明に係る携帯電話機器の動作の処理手順を示したフローチャートである。
【図５】本発明に係る携帯電話機器の表示内容および記憶内容を説明するための図である。
【発明を実施するための形態】
【００１３】
以下、本発明の実施の形態について説明する。図１は、本発明に係る通信機器の一例である携帯電話機器１の外観斜視図である。
【００１４】
図１に示すように、携帯電話機器１は、フロントケース２ａとリアケース２ｂにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００１５】
操作部側筐体部２は、フロントケース２ａの表面側に露出するように配設される操作ボタン群１１と音声入力部１２とを有して構成される。操作ボタン群１１は、各種設定や電話帳機能やメーラー機能（メーラープログラム）等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。
【００１６】
また、操作部側筐体部２の側面には、イヤホンコネクタキャップ１６と、ＰＣなどと通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電話機器１の使用者が通話時に発した音声を入力するために用いられる。
【００１７】
表示部側筐体部３は、各種情報を表示するための表示部２１と、通話の相手側の音声を出力する音声出力部２２とを有して構成される。また、表示部側筐体部３の上端部には、他の携帯電話機器等との間で赤外線通信を行うための通信部２３が設けられている。
【００１８】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り換えることができるように構成されている。
【００１９】
なお、本実施形態においては、通信機器の一例としてヒンジ機構４を介して操作部側筐体部２と表示部側筐体部３とが相対的に動く、いわゆる折り畳み式の携帯電話機器１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とが２軸ヒンジを介して連結したもの、さらには、操作部側筐体部２と表示部側筐体部３とが一つの筐体に配置されたもの（いわゆる、ストレートタイプ）であっても適用可能である。
【００２０】
また、携帯電話機器１（１ａ、１ｂ）は、図２に示すように、無線基地局１００を介して、ネットワーク１０１と通信するように無線接続されている。そして、たとえば、携帯電話機器１ｂから携帯電話機器１ａへ無線接続によってＥメールが送信される場合、当該Ｅメールは、ネットワーク１０１と、無線基地局１００とを経由して携帯電話機器１ａへ送信される。
【００２１】
ここで、携帯電話機器１の機能について説明する。図３は、携帯電話機器１の機能のブロックを示した機能ブロック図である。携帯電話機器１は、機能ブロックとして、受信部３１、送信部３２、前述した表示部２１、ならびに表示制御部３６およびプログラム実行部３７を備えた制御部３５、を有している。
【００２２】
受信部３１は、アンテナと無線復調回路とを有し、たとえばＥメールを前述した方法にて、無線基地局１００から受信する。送信部３２は、受信部３１とは逆に、携帯電話機器１において作成されたＥメールを、無線基地局１００およびネットワーク１０１を介して、他の通信機器へ送信する。表示部２１は、画像を表示するためのディスプレイであり、たとえばＬＣＤ（Ｌｉｑｕｉｄ  Ｃｒｙｓｔａｌ  Ｄｉｓｐｌａｙ）、または有機ＥＬディスプレイ（Ｏｒｇａｎｉｃ  Ｅｌｅｃｔｒｏｌｕｍｉｎｅｓｃｅｎｃｅ  Ｄｉｓｐｌａｙ）などによって構成される。
【００２３】
制御部３５は、受信部３１、送信部３２、および表示部２１等を総合的に制御するためのＣＰＵ（Ｃｅｎｔｒａｌ  Ｐｒｏｃｅｓｓｉｎｇ  Ｕｎｉｔ）のことである。制御部３５は、機能として、表示部２１を制御する表示制御部３６と、たとえばメーラープログラム、ブラウザプログラムなどの各種プログラムの実行を制御するプログラム実行部３７とを備えている。
【００２４】
表示制御部３６は、Ｅメールが携帯電話機器１内に存在する場合において、当該未読メールにＵＲＬ（Ｕｎｉｆｏｒｍ  Ｒｅｓｏｕｒｃｅ  Ｌｏｃａｔｏｒ）が記載されていたり、または添付ファイルが存在していたりするとき、当該ＵＲＬや添付ファイルの存在を通知するための通知表示を表示部２１に行わせる機能を有する。たとえば、通知表示の一例としてポップアップ表示を行う。当該通知表示については後に詳述する。
【００２５】
また、プログラム実行部３７は、メーラーやブラウザといった携帯電話機器１内に備えられている各種様々なプログラムを実行する機能部である。
【００２６】
続いて、本発明に係る携帯電話機器１がどのように動作するかについて図４を用いて説明する。図４は、本発明に係る携帯電話機器１の動作の処理手順を示したフローチャートである。
【００２７】
＜ステップＳ１＞
最初、携帯電話機器１は、Ｅメールの受信を開始する。具体的には、受信部３１は、無線基地局１００から、携帯電話機器１宛のＥメールが存在することの通知を受信する。当該通知を受信した場合、受信部３１は無線基地局１００からＥメールの受信を開始する（ステップＳ１）。
【００２８】
＜ステップＳ２、Ｓ３＞
受信部３１は、無線基地局１００からＥメールの受信を完了すると、当該Ｅメールを不図示の記憶部へと記憶する。また、受信部３１は、無線基地局１００からＥメールの受信を完了すると、完了した旨を制御部３５へ通知する（ステップＳ２）。制御部３５は、Ｅメールの受信が完了した旨を、受信部３１から受信すると、表示制御部３６によるポップアップでの通知表示の機能がオンにされているかどうかを確認する（ステップＳ３）。もし、通知表示の機能がオフにされていれば処理を終了し（ステップＳ３／Ｎｏ）、通知表示の機能がオンにされていればステップＳ４の処理へと進む（ステップＳ３／Ｙｅｓ）。
【００２９】
＜ステップＳ４、Ｓ５＞
制御部３５は、受信部３１が受信したＥメールが添付ファイル（画像ファイル）を有しているか否かを確認する。画像ファイルが添付されていると判断した場合には（ステップＳ４／Ｙｅｓ）、制御部３５は、画像ファイルの記憶保存を行う（ステップＳ５）。なお、画像ファイルが添付されていないと判断した場合には（ステップＳ４／Ｎｏ）、制御部３５は、ステップＳ５の処理を行わない。
【００３０】
＜ステップＳ６、Ｓ７＞
ステップＳ６において、制御部３５は、受信したＥメールに接続先ＵＲＬが記述されているかを確認する。たとえば、制御部３５は、受信したＥメール本文中に「ｈｔｔｐ：／／」から始まる文字列が存在する場合、受信したＥメールの本文内に接続先ＵＲＬの記述があると認識する。受信したＥメールの本文内に接続先ＵＲＬの記述があると認識した場合（ステップＳ６／Ｙｅｓ）、制御部３５は、当該ＵＲＬを抽出して別途記憶保存する（ステップＳ７）。受信したＥメールの本文内に接続先ＵＲＬの記述が無いと認識した場合（ステップＳ６／Ｎｏ）には、制御部３５は、ステップＳ７の処理を行わない。
【００３１】
＜ステップＳ８＞
画像ファイルの添付およびＵＲＬの記述の確認をした後、制御部３５は、表示部２１の表示画面が待受画面であるか否かを判定する。具体的には、制御部３５は、プログラム実行部３７によってメーラープログラムが実行中で、当該メーラープログラムに基づいた表示が表示部２１に行われているか否かに基づいて、表示部２１の表示が待受画面であるか否かを判定する。メーラープログラムが実行中の場合、つまり表示部２１の表示が待受画面ではない場合には、制御部３５は、表示部２１の表示が待受画面へ遷移するまで当該判定を繰り返す（ステップＳ８／Ｎｏ）。メーラープログラムの実行が終了した場合、つまり表示部２１の表示が待受画面となった場合には（ステップＳ８／Ｙｅｓ）、制御部３５は、ステップＳ９の処理を開始する。
【００３２】
＜ステップＳ９、Ｓ１０＞
ステップＳ９において、制御部３５は、保存した画像ファイルが存在するか否かを確認する。具体的には、制御部３５は、ステップＳ５において、受信したＥメールに添付されていた画像ファイルを保存したか否かを確認する。ステップＳ５において画像ファイルを保存していた場合には（ステップＳ９／Ｙｅｓ）、制御部３５は、当該画像ファイルの存在を通知する通知表示を表示部２１に行わせる（ステップＳ１０）。また、ステップＳ５において画像ファイルを保存していなかった場合には（ステップＳ９／Ｎｏ）、ステップＳ１０の処理を行わずに、ステップＳ１１の処理を開始する。
【００３３】
＜ステップＳ１１、Ｓ１２＞
ステップＳ１１において、制御部３５は、保存したＵＲＬが存在するか否かを確認する。具体的には、ステップＳ６において、受信したＥメールに記載されていたＵＲＬを記憶したか否かを判定する。ステップＳ６においてＵＲＬを保存していた場合には（ステップＳ１１／Ｙｅｓ）、制御部３５は、当該ＵＲＬを有するＷｅｂサイトへの接続を促すポップアップ表示を行う（ステップＳ１２）。もし、ステップＳ６においてＵＲＬを保存していなかった場合には、ステップＳ１２の処理を行わない。
【００３４】
＜ステップＳ１３、Ｓ１４＞
ステップＳ１３において、画像ファイルの存在を通知表示するポップアップ表示がステップＳ１０にて行われた場合に、当該ポップアップ表示がユーザによって選択されたとき（ステップＳ１３／Ｙｅｓ）、制御部３５は、当該画像ファイルを表示部２１に表示する（ステップＳ１４）。
【００３５】
＜ステップＳ１５、Ｓ１６＞
また、制御部３５は、ステップＳ１０における画像ファイルの存在を通知表示するポップアップ表示を行わなかった場合、もしくは当該画像ファイルの存在を示すポップアップ表示の選択がユーザによって行われない場合、ステップＳ１２において表示したＵＲＬを有するＷｅｂサイトへの接続を促すポップアップ表示が選択されたか否かを判断する（ステップＳ１５）。ステップＳ１４において、ＵＲＬを有するＷｅｂサイトへの接続を促すポップアップ表示の選択が行われた場合には（ステップＳ１５／Ｙｅｓ）、制御部３５は、受信部３１に当該ＵＲＬを有するＷｅｂサイトを受信させ、表示部２１に表示させる。もし、ＵＲＬを有するＷｅｂサイトへの接続を促すポップアップ表示の選択が行われない場合には（ステップＳ１５／Ｎｏ）、制御部３５は、ステップＳ１３の処理を再び繰り返す。換言すれば、制御部３５は、ステップＳ１３およびステップＳ１５の処理を巡回することによって、ユーザからの選択操作をポーリング検出する。
【００３６】
このように、携帯電話機器１は、受信したＥメールに画像ファイルが添付されている場合、または受信したＥメールの文章内にＷｅｂサイトのＵＲＬが記載されている場合といった、受信したＥメールに付加情報が存在する場合、待受画面において、当該付加情報の存在をポップアップ表示によってユーザに通知することが可能となる。従って、ユーザは、確実にこれら付加情報を認識することが可能となり、その結果、携帯電話機器１は、ユーザに対して付加情報を提供できない虞を低減させることが可能となる。
【００３７】
また、通知表示をポップアップで表示することにより、よりユーザの注意を引くことが可能となり、その結果、携帯電話機器１は、よりユーザに対して確実に付加情報の存在を気付かせることが可能となる。
【００３８】
なお、制御部３５が添付ファイルやＵＲＬの記載の存在を示すポップアップ表示を行うのは、当該添付ファイルやＵＲＬの記載を有するＥメールが未読メールであった場合であっても良い。以下、図５を用いて当態様を具体的に説明する。
【００３９】
図５（ａ）は、メーラープログラムが実行されている場合における、表示部２１に表示される画面の様子について示した図である。表示部２１は、メーラープログラムが実行されている場合には、待受画面ではない、メーラープログラムに基づいた画面を表示する。図５（ａ）は、メーラープログラムによって受信Ｅメール一覧が表示されている場合の表示部２１の様子を示している。本実施態様では、この受信Ｅメール一覧にあるように、「山田  太郎」からの受信Ｅメールは、未読状態で添付ファイルを有し、「田中  梅子」からの受信Ｅメールは、既読状態で添付ファイルを有し、そして「山本  新太郎」からの受信Ｅメールは、既読状態で添付ファイルを有さないとする。
【００４０】
また、図５（ｂ）は、「山田  太郎」からのＥメールの内容を具体的に示した図である。前述したように、「山田  太郎」からのＥメールは添付ファイル「地図．ｇｉｆ」を有し、また図５（ｂ）に示されているとおりに、「山田  太郎」からのＥメールの本文には「ｈｔｔｐ：／／ｘｘｘ．ｊｐ」というＵＲＬが記載されているとする。
【００４１】
表示部２１の状態が図５（ａ）に示す状態から、たとえば、ユーザによってメーラープログラムが終了された場合、表示部２１は待受画面を表示する。このとき、制御プログラムは、前述したようにポップアップ表示を行うわけであるが、当該ポップアップ表示を行う対象である付加情報を有するＥメールは、未読メールである「山田  太郎」からのＥメールである。図５（ｃ）は、この「山田  太郎」からのＥメールに付加された付加情報に対するポップアップ表示を行っている表示部２１の様子を示した図である。
【００４２】
このように、未読状態のＥメールに付加された付加情報に対してのみポップアップ表示を行うことにより、制御部３５は、ユーザが一度も見たことのない付加情報に対してのみ、ユーザへ付加情報の存在を通知することが可能となる。従って、ユーザは、効率よく付加情報の存在を確認することが可能となる。
【００４３】
なお、前述した添付ファイルは、たとえば画像ファイルであっても良いし、音楽ファイルなどの各種ファイルであっても良い。
【００４４】
なお、本実施形態では、メールの実施形態としてＥメールを示したが、Ｅメールに限らずたとえばＳＭＳ（Ｓｈｏｒｔ  Ｍｅｓｓａｇｅ  Ｓｅｒｖｉｃｅ）に基づいたメールであってもよい。
【００４５】
なお、本実施形態では、図４のステップＳ９においてＹｅｓとなった場合には、当該画像ファイルの存在を通知する通知表示を行う態様を示しているものの、たとえば当該画像ファイルに基づいた画像そのものをポップアップ表示する態様であってもよい。この場合、図４のステップＳ１４においては、画像を表示せず、逆にポップアップ表示されている画像を閉じる制御が、制御部３５によって行われてもよい。
【００４６】
なお、未読状態のＥメールに付加された付加情報に対してのみポップアップ表示を行う態様について前述したが、他の態様であってもよい。具体的には、たとえばＥメールに添付された画像ファイルが、メーラープログラムの実行中に、一度もカーソルが当てられなかったり、当該画像ファイルの画像が閲覧されなかったりなどの選択がされなかった場合、当該画像ファイルの存在を通知するポップアップ表示を、制御部３５は表示部２１に表示してもよい。
【００４７】
また、同様に、Ｅメール本文内にＵＲＬが記載されている場合、メーラープログラムが実行中に前記ＵＲＬに一度もカーソルが当てられずに選択されなかったり、当該ＵＲＬの選択によるＷｅｂ接続操作がユーザによって行われなかったりしたとき、当該ＵＲＬへの接続を促すポップアップ表示を、制御部３５は表示部２１に表示してもよい。
【００４８】
また、前述した実施形態においては、メール本文内に記載された付加情報として、ＵＲＬを例示して説明したものの、付加情報の実施形態はこれに限られない。たとえば、Ｅメール本文内に記載されたメールアドレスについても、制御部３５は、同様の処理を行っても良い。この場合、制御部３５は、前記メールアドレスに対して返信するか否かをユーザに提示するポップアップ表示を行う。
【００４９】
また、付加情報の実施形態として、たとえば、Ｅメール本文内に記載された電話番号についても、制御部３５は、同様の処理を行っても良い。この場合、制御部３５は、前記電話番号に対して発信をするか否かをユーザに提示するポップアップ表示を行う。
【符号の説明】
【００５０】
２１  表示部
３１  受信部
３２  送信部
３５  制御部
３６  表示制御部
３７  プログラム実行部
【図１】
2011171959.tif 000003
【図２】
2011171959.tif 000004
【図３】
2011171959.tif 000005
【図４】
2011171959.tif 000006
【図５】
2011171959.tif 000007